(57)【特許請求の範囲】
【請求項１】
異なった仕様の三つの外壁面を有する体験室と、
この体験室回りの三つの外壁面を取り巻くように設けられ、外壁面毎に防音ドアで仕切られた三つの廊下室と、
体験室上に設けられ、半分がコンクリート床仕様、残りの半分が木根太床仕様となされた二階室とを具備し、
体験室、廊下室、および二階室には、それぞれ騒音発生手段が設けられるとともに、二階室から体験室を通過するように、異なった仕様の二つの排水管が設けられ、
各室内から発生される騒音を、体験室または廊下室で体験するとともに、排水管を流れる排水音を体験室で体験することで、外壁、床、排水管のそれぞれの仕様の違いを把握できるようになされたことを特徴とする防音遮音体験装置。
【発明の詳細な説明】
【０００１】
【産業上の利用分野】
本発明は、外壁、床、排水管など、住宅における各部の仕様の違いによる防音遮音状態を体験する装置に関するものである。
【０００２】
【従来の技術】
従来より、工業化住宅では、各部の仕様が多種多用にわたっており、これら仕様の違いによって、住宅の防音性や遮音性などが異なってくる。したがって、これらの仕様の違いは、測定データなどの数値によって対比できるようにカタログに記載されていた。
【０００３】
【発明が解決しようとする課題】
しかし、家を建てる者にとっては、数値を見ても実際にどのような状態に仕上がるかといったことが判らない。
【０００４】
そのため、展示住宅などで実際の仕上がり具合を確認できるようになされているが、出来上がった家が、他の仕様の家よりも優れているといったことを、同条件で比較することができない。
【０００５】
本発明は、係る実情に鑑みてなされたものであって、仕様の違いによる防音性遮音性を体感することができる防音遮音体感装置を提供することを目的としている。
【０００６】
【課題を解決するための手段】
上記課題を解決するための本発明の防音遮音体感装置は、異なった仕様の三つの外壁面を有する体験室と、この体験室回りの三つの外壁面を取り巻くように設けられ、外壁面毎に防音ドアで仕切られた三つの廊下室と、体験室上に設けられ、半分がコンクリート床仕様、残りの半分が木根太床仕様となされた二階室とを具備し、体験室、廊下室、および二階室には、それぞれ騒音発生手段が設けられるとともに、二階室から体験室を通過するように、異なった仕様の二つの排水管が設けられ、各室内から発生される騒音を、体験室または廊下室で体験するとともに、排水管を流れる排水音を体験室で体験することで、外壁、床、排水管のそれぞれの仕様の違いを把握できるようになされたものである。
【０００７】
【発明の実施の形態】
以下、本発明の実施の形態を図面を参照して説明する。
【０００８】
図１および図２は防音遮音体験装置１の全体構成の概略を示している。
すなわち、この防音遮音体験装置１は、体験室２と、この体験室２を取り巻く三つの廊下室３と、体験室２上の二階室４とを具備し、展示住宅１０内に設けられている。
【０００９】
体験室２は、住宅の外壁と同じように構成された第一外壁面２１、第二外壁面２２、第三外壁面２３と、防音壁２４とによって囲まれている。このうち、第一外壁面２１にはサッシ２１ａが設けられている。第二外壁面２２には全く窓が設けられずに外壁だけで構成されている。第三外壁面２３には、出窓サッシ２３ａが設けられている。防音壁２４には、この体験室２への出入口となる防音ドア５が設けられている。
【００１０】
廊下室３は、体験室２の第一外壁面２１、第二外壁面２２、第三外壁面２３を取り巻くように設けられている。この廊下室３は、防音ドア５で仕切られて、体験室２の壁面毎に、第一廊下室３１、第二廊下室３２、第三廊下室３３に分割されている。また、第一廊下室３１および第三廊下室３３からは、第一外壁面２１および第三外壁面２３に設けた防音ドア５を介して体験室２へ出入りできるようになされている。
【００１１】
上記体験室２と各廊下室３１、３２、３３とには、それぞれスピーカー６と集音マイク７とが設けられている。また、体験室２には、椅子２５、テレビモニター２６、騒音レベルの表示計２７が設けられている。この騒音レベルの表示計２７は、体験室２および各廊下室３１、３２、３３の騒音を、各集音マイク７で集めて個別に表示するようになされている。
【００１２】
二階室４は、体験室２の真上に位置するように設けられている。この二階室４は、床の半分がコンクリート床４１、残りの半分が木根太床４２となされている。コンクリート床４１は、鉄骨材４３上にＡＬＣ板４４を敷設し、このＡＬＣ板４４の表面にフローリング材４５を貼設して仕上げられる。一方、木根太床４２は、鉄骨材４３上に木根太４６を設け、この木根太４６上に構造板４７を介してフローリング材４５を貼設して仕上げられる。また、コンクリート床４１と木根太床４２との間は、仕切り板４８で仕切られ、この仕切り板４８の床表面部分には目地材４９が設けられている。
【００１３】
また、コンクリート床４１と木根太床４２とには、それぞれ水洗便器８が設けられている。この水洗便器８からの配管８１は、それぞれコンクリート床４１および木根太床４２を通過して体験室２を降下するように配管されている。このうち、一方の配管８１には、防音カバー８２が被覆されている。また、水洗便器８の水洗レバー８３から、コンクリート床４１および木根太床４２を通過して体験室２に紐８４が導出されている。そして、体験室２内から紐８４を引っ張ることで、水洗便器８の水洗を行って配管８１から排水を流すことができるようになされている。この際、防音カバー８２の有無で、排水時の騒音を体験比較できるようになされている。
【００１４】
さらに、コンクリート床４１と木根太床４２とには、それぞれ軽量衝撃音発生装置９と重量衝撃音発生装置９０とが設けられている。軽量衝撃音発生装置９は、図４（ａ）に示すように、基台９１に対して回動可能に支持された揺動棒９２の一端部を、モーター９３に設けられた回転子９４で叩いて、揺動棒９２を揺動させるようになされている。そして、この揺動棒９２の揺動によって、揺動棒９２の他端部に設けたハンマー９５がフローリング材４５の表面に衝撃を与えるようになされている。一方、重量衝撃音発生装置９０は、図４（ｂ）に示すように、軽量衝撃音発生装置９のハンマー９５の部分がタイヤ９６になった以外は、同様に構成されている。図４（ｂ）において図４（ａ）と同部材には同符号を付す。
【００１５】
次に、このようにして構成される防音遮音体験装置１の使用方法について説明する。
【００１６】
まず、展示住宅１０の見学者は、防音ドア５から体験室２内に入り、椅子２５に腰を掛ける。
【００１７】
体験室２では、正面のテレビモニター２６の映像に合わせた騒音が、各廊下室３１、３２、３３のいずれかのスピーカー６から発生される。また、その時の各廊下室３１、３２、３３および体験室２の騒音が集音マイク７で測定され、表示計２７に表示される。例えば、体験室２の第一廊下室３１のスピーカー６から騒音を発生させ、第二廊下室３２および第三廊下室３３のスピーカー６からは、一切の騒音を出さなかった場合、体験室２内では、第一外壁面２１の防音性を体感できることとなる。また、その時の防音性がどの程度のものなのかは、表示計２７に表示された第一廊下室３１と体験室２との表示を見ることで把握することができる。同様に第二外壁面２２および第三外壁面２３についても、個々の防音性を体感できる。
【００１８】
次に、二階室４のコンクリート床４１と木根太床４２とのそれぞれ設けた軽量衝撃音発生装置９および重量衝撃音発生装置９０を、順に作動させる。これにより、体験室２では、コンクリート床４１と木根太床４２とで衝撃音の伝わり具合がどのように違うかを体感することができる。
【００１９】
また、体験室２に導出された紐８４を引っ張ることで、水洗便器８の水洗を行い、体感室２内を通過する配管８１内に排水を流す。この際、防音カバー８２の有無で、排水時の騒音がどのように違うかを体感することができる。
【００２０】
次に、見学者は、防音ドア５から第一廊下室３１に入り、第二廊下室３２、第三廊下室３３へと順に回覧する。
【００２１】
例えば、第一廊下室３１に居る状態で、体験室２のスピーカー６から騒音を発生させた場合、第一廊下室３１では、体験室２から第一外壁面２１を介してどの程度の騒音が外に漏れるかを体感することができる。その後、第二廊下室３２、第三廊下室３３についても、体験室２から第二外壁面２２、第三外壁面２３を介してどの程度の騒音が外に漏れるかを体感することができる。
【００２２】
このように、この防音遮音体験装置１によると、実際の住宅の仕様の違いによって、防音性遮音性がどのように異なるかを、同条件下で体感することができる。したがって、住宅を建てる場合に、納得のできる仕様の選択を行うことができる。
【００２３】
なお、本実施の形態では、体験室２の三つの壁面２１、２２、２３は、サッシ２１ａが設けられた第一外壁面２１、窓無しの第二外壁面２２、出窓サッシ２３ａが設けられた第三外壁面２３といった具合に窓の有無と窓の形状の違いによって仕様が異なっているが、この仕様の違いについては、特に窓の有無や窓の形状の違いだけに限定されるものではなく、壁の素材や構造自体の違いによって仕様が異なったものであっても良い。
【００２４】
また、本実施の形態では、防音遮音体験装置１は、展示住宅１０内に組み込まれているが、この防音遮音体験装置１だけが単体で構成されていても良い。
【００２５】
【発明の効果】
以上述べたように、本発明によると、各室内から発生される騒音を、体験室または廊下室で体験するとともに、排水管を流れる排水音を体験室で体験することで、外壁、床、排水管のそれぞれの仕様の違いを把握することができる。したがって、住宅を建てる場合に、納得のできる仕様の選択を行うことができる。
【図面の簡単な説明】
【図１】本発明の防音遮音体験装置の体験室および廊下室の部分を示す断面図である。
【図２】本発明の防音遮音体験装置の二階室の部分を示す断面図である。
【図３】図１におけるI-I 線断面図である。
【図４】（ａ）および（ｂ）は、軽量衝撃音発生装置および重量衝撃音発生装置を示す側面図である。
【符号の説明】
１  防音遮音体験装置
２  体験室
２１  第一外壁面
２２  第二外壁面
２３  第三外壁面
３  廊下室
３１  第一廊下室
３２  第二廊下室
３３  第三廊下室
４  二階室
４１  コンクリート床
４２  木根太床
６  スピーカー（騒音発生手段）
８１  排水管
９  軽量衝撃音発生装置（騒音発生手段）
９０  重量衝撃音発生装置（騒音発生手段）
【図１】
0003679239.tif 000002
【図２】
0003679239.tif 000003
【図３】
0003679239.tif 000004
【図４】
0003679239.tif 000005